(57)【特許請求の範囲】
【請求項１】
遊技島台に設けられる上部島枠と下部島枠との間に形成される設置空間に遊技機の外枠の上辺部分又は下辺部分を固定する遊技機固定装置において、
前記遊技機固定装置は、
前記上部島枠又は前記下部島枠に取り付けられる取付部材と、
前記外枠の上辺部分の下面を上方に押圧する、又は前記外枠の下辺部分の上面を下方に押圧することで前記外枠の上辺部分又は下辺部分を固定する押圧固定部材と、
該押圧固定部材を前記取付部材の表側に取り付ける螺軸部材と、
前記押圧固定部材を前記外枠の上辺部分の後面又は下辺部分の後面に向かって付勢する弾性部材と、を備え、
前記押圧固定部材は、
前記外枠の上辺部分の下面又は下辺部分の上面と当接して当該外枠を押圧する押圧部と、
前記外枠の上辺部分の後面又は下辺部分の後面から見て前記押圧部よりも離れた位置に設けられて前記外枠の上辺部分又は下辺部分の後端面と当接して当該外枠の後端面を支持する支持部と、を一体的に備え、
前記取付部材は、前記外枠の前後方向に沿って条設されて前記螺軸部材を挿通して当該螺軸部材をスライド移動可能とする長穴形状の挿通穴を備え、
前記螺軸部材の捻じ込みによって当該押圧固定部材を前記挿通穴に沿ってスライド移動できないようにする一方、前記螺軸部材を緩めることによって前記取付部材の挟持状態を解除して前記弾性部材の付勢力により前記押圧固定部材を前記挿通穴に沿ってスライド移動できるようにしたことを特徴とする遊技機固定装置。
【請求項２】
前記螺軸部材の捻じ込みによって前記押圧部が前記外枠を押圧する方向に前記押圧固定部材を移動させる一方、前記螺軸部材を緩めることによって前記押圧部が前記外枠の押圧を解除する方向に前記押圧固定部材を移動させることを特徴とする請求項１記載の遊技機固定装置。
【請求項３】
前記外枠の下辺部分を固定する遊技機固定装置は、さらに、
前記押圧固定部材と前記取付部材との間に配置されると共に、前記押圧固定部材が上方に移動する方向に当該押圧固定部材を付勢する弾性力付与部材を備えたことを特徴とする請求項１又は請求項２記載の遊技機固定装置。
【請求項４】
前記弾性力付与部材は、コイル巻回径が下端から上端にかけて徐々に縮径したとぐろ状のコイルスプリングからなり、該コイルスプリングは、前記螺軸部材を巻回するように配置されると共に、その上端部分のコイル巻回径が前記螺軸部材の軸径と同一であることを特徴とする請求項３記載の遊技機固定装置。
【発明の詳細な説明】
【技術分野】
【０００１】
本発明は、遊技島台に設けられる上部島枠と下部島枠との間に形成される設置空間に遊技機の外枠の上辺部分又は下辺部分を固定する遊技機固定装置に関するものである。
【背景技術】
【０００２】
従来、一般に、遊技島台に列設されるパチンコ機等の遊技機は、遊技島台に設けられる長尺板状の上部島枠と下部島枠との間に形成される設置空間に設置され、上部島枠及び下部島枠に取り付けられた遊技機固定装置によって前後方向への傾斜角度（所謂「ねかせ角度」）を付けて遊技島台に固定されるようになっている。例えば、特許文献１に開示された遊技機固定装置では、下部島枠に固定された基部に対して操作ハンドルの回転操作でストッパ部材を前後方向にスライド移動させると共に、当該ストッパ部材によって遊技機を構成する外枠の下辺部分を後方から支持し、この状態から、基部の前側（腕部）に取り付けられた押圧部材を下方に捻じ込むことで、押圧部材の下端に設けられた当接部の爪で外枠の下辺上面を押し込んで固定するようになっている。
また、特許文献２に開示された遊技機固定装置では、下部島枠に固定された調整ねじ保持部材に対して調整ねじの捻じ込み操作でねじ部を前後方向に進退移動させると共に、当該ねじ部の前端に取り付けられた押圧板によって遊技機を構成する外枠の下辺部分を後方から支持し、この状態から、調整ねじ保持部材の前側（螺合部）に取り付けられた固定ねじを下方に捻じ込むことで、固定ねじの下端に設けられた爪部で外枠の下辺上面を押し込んで固定するようになっている。
また、特許文献３に開示された遊技機固定装置では、下部島枠に固定された本体に対して出入り調整ボルトを前後方向に進退移動させると共に、当該出入り調整ボルトの前端に取り付けられた枠受けプレートによって遊技機を構成する外枠の下辺部分を後方から支持し、この状態から、本体の前側に取り付けられた押しボルトを下方に捻じ込むことで、押しボルトを構成するねじ部の先端で外枠の下辺上面を押し込んで固定するようになっている。
【先行技術文献】
【特許文献】
【０００３】
【特許文献１】特開平５−４２２５３号公報（図１６）
【特許文献２】登録実３１３０００５号公報（図１８）
【特許文献３】特開２００６−３１４６５３号公報（図６）
【発明の概要】
【発明が解決しようとする課題】
【０００４】
ところで、遊技機を構成する外枠は、その奥行き寸法がメーカー毎で様々に異なって設定されている。このため、上記した特許文献１〜３に記載の遊技機固定装置で外枠を固定する際に、入れ替えて設置する遊技機（外枠）の奥行き寸法が入れ替え前のものと異なるような場合、その都度、外枠の下辺部分を後方から支持する位置を特許文献１のストッパ部材、特許文献２の押圧板、特許文献３の枠受けプレートをそれぞれ微妙に調整する必要があり、外枠の固定作業に時間と労力がかかる。なお、このような調整を怠ることで遊技機固定装置の支持部分（特許文献１のストッパ部材、特許文献２の押圧板、特許文献３の枠受けプレート）と外枠の下辺部分との間に隙間が生じてしまうような場合には、遊技機が前方から押されたときなどに外枠が動いてしまい、結果として、出玉に対して大きな影響を及ぼす遊技機の傾斜角度がズレてしまうという問題が生じる。
また、特許文献１〜３に記載の遊技機固定装置の構成によれば、支持部分（特許文献１のストッパ部材、特許文献２の押圧板、特許文献３の枠受けプレート）を前後方向に位置調整することで、外枠の下辺上面に対する遊技機固定装置の押圧部分（特許文献１の当接部の爪、特許文献２の固定ねじの爪部、特許文献３のねじ部の先端）の位置が毎回変わってしまう。このため、外枠の奥行き寸法が極端に短く設定されるような場合、あるいは傾斜角度の調整として外枠を極端に前側に移動させるような場合には、支持部分の位置をかなり前方に移動させる必要があり、押圧部分の位置が外枠の下辺上面の後端になってしまうことから、外枠の固定状態が不安定になってしまう。なお、このような不具合としては、外枠を木材とプラスチック等の硬質材料との組み合わせで構成し、硬質材料を各辺の前端及び後端に配置するような場合、押圧部分（例えば、爪部）が丁度硬質材料の部分に当ってしまい、外枠側から強い押し返しを受けることで、外枠の固定状態が極端に不安定になる。
本発明は、上記した事情に鑑みなされたもので、その目的とするところは、外枠の固定作業を容易にでき、且つ、確実に外枠を固定することができる遊技機固定装置を提供することにある。
【課題を解決するための手段】
【０００５】
上記した目的を達成するために、請求項１の発明においては、遊技島台に設けられる上部島枠と下部島枠との間に形成される設置空間に遊技機の外枠の上辺部分又は下辺部分を固定する遊技機固定装置において、前記遊技機固定装置は、前記上部島枠又は前記下部島枠に取り付けられる取付部材と、前記外枠の上辺部分の下面を上方に押圧する、又は前記外枠の下辺部分の上面を下方に押圧することで前記外枠の上辺部分又は下辺部分を固定する押圧固定部材と、該押圧固定部材を前記取付部材の表側に取り付ける螺軸部材と、前記押圧固定部材を前記外枠の上辺部分の後面又は下辺部分の後面に向かって付勢する弾性部材と、を備え、前記押圧固定部材は、前記外枠の上辺部分の下面又は下辺部分の上面と当接して当該外枠を押圧する押圧部と、前記外枠の上辺部分の後面又は下辺部分の後面から見て前記押圧部よりも離れた位置に設けられて前記外枠の上辺部分又は下辺部分の後端面と当接して当該外枠の後端面を支持する支持部と、を一体的に備え、前記取付部材は、前記外枠の前後方向に沿って条設されて前記螺軸部材を挿通して当該螺軸部材をスライド移動可能とする長穴形状の挿通穴を備え、前記螺軸部材の捻じ込みによって当該押圧固定部材を前記挿通穴に沿ってスライド移動できないようにする一方、前記螺軸部材を緩めることによって前記取付部材の挟持状態を解除して前記弾性部材の付勢力により前記押圧固定部材を前記挿通穴に沿ってスライド移動できるようにしたことを特徴とする。
【０００６】
また、請求項２の発明においては、請求項１記載の遊技機固定装置において、前記螺軸部材の捻じ込みによって前記押圧部が前記外枠を押圧する方向に前記押圧固定部材を移動させる一方、前記螺軸部材を緩めることによって前記押圧部が前記外枠の押圧を解除する方向に前記押圧固定部材を移動させることを特徴とする。
【０００７】
また、請求項３の発明においては、請求項１又は請求項２記載の遊技機固定装置において、前記外枠の下辺部分を固定する遊技機固定装置は、さらに、前記押圧固定部材と前記取付部材との間に配置されると共に、前記押圧固定部材が上方に移動する方向に当該押圧固定部材を付勢する弾性力付与部材を備えたことを特徴とする。
【０００８】
また、請求項４の発明においては、請求項３記載の遊技機固定装置において、前記弾性力付与部材は、コイル巻回径が下端から上端にかけて徐々に縮径したとぐろ状のコイルスプリングからなり、該コイルスプリングは、前記螺軸部材を巻回するように配置されると共に、その上端部分のコイル巻回径が前記螺軸部材の軸径と同一であることを特徴とする。
【発明の効果】
【０００９】
請求項１の発明においては、遊技機（外枠）を設置空間内に設置する場合、先ず、螺軸部材を緩めることによって押圧固定部材を取付部材の挿通穴に沿ってスライド移動できるようにし、また、押圧部による外枠の押圧を解除し、この状態で、外枠を設置空間に対して前方から挿入して、外枠の上辺部分又は下辺部分の後端面を押圧固定部材の支持部と当接させる。そして、この状態から、螺軸部材を捻じ込むことによって押圧固定部材を取付部材の挿通穴に沿ってスライド移動できないようにし、また、押圧部によって外枠を押圧して、外枠を設置空間に固定する。なお、このとき、遊技機の傾斜角度は、外枠の上辺部分又は下辺部分の後端面を支持する押圧固定部材の支持部の位置、言い換えれば、取付部材に対する押圧固定部材のスライド移動位置によって調整される。
【００１０】
また、このような構成において、押圧固定部材は、弾性部材により前方にスライド移動する方向に付勢されている。このため、外枠を設置空間に対して前方から挿入する際、押圧固定部材の支持部は、外枠の後端面との隙間をなくす方向に自動的に移動するようになっており、遊技機の設置作業としては、弾性部材によって付勢された押圧固定部材（支持部）の前方移動に抗して外枠を後方に押し入れることになる。従って、入れ替えて設置する遊技機（外枠）の奥行き寸法が入れ替え前のものと異なるような場合でも、外枠の奥行き寸法に応じて押圧固定部材を前後方向に移動調整する必要がなく、設置空間に対する外枠の挿入度合を調整するだけでよいので、外枠の固定作業を容易にできる。
【００１１】
さらには、設置空間に対する外枠の挿入度合を調整する際に、押圧固定部材の支持部が前後方向に移動する場合、これに伴って押圧固定部材の押圧部も一体的に前後方向に移動する。このため、遊技機固定装置は、奥行き寸法が異なった遊技機（外枠）を固定する際でも、外枠の後端面から所定の前方位置を押圧することになる。その結果、外枠の奥行き寸法が極端に短く設定される、あるいは傾斜角度の調整として外枠を極端に前側に移動させることで、支持部の位置をかなり前方に移動させる必要がある場合でも、押圧部による外枠の固定位置が後端（例えば、木材とプラスチック等の硬質材料との組み合わせからなる外枠において硬質材料が配置された後端部分）になってしまうことを回避することができ、確実に外枠を固定することができる。
【００１２】
また、請求項２の発明においては、螺軸部材を捻じ込むことによって、押圧固定部材を挿通穴に沿ってスライド移動できないようにすると共に、押圧部が外枠を押圧する方向に押圧固定部材を移動させる。一方、螺軸部材を緩めることによって、押圧固定部材を挿通穴に沿ってスライド移動できるようにすると共に、押圧部が外枠の押圧を解除する方向に押圧固定部材を移動させる。このため、遊技場側では、螺軸部材の捻じ込み操作によって押圧部が外枠を押圧する方向に押圧固定部材を移動させる際、即ち、螺軸部材を緩めた状態から螺軸部材を捻じ込む際、当該螺軸部材を取付部材の挿通穴に沿って移動させることで、押圧固定部材をスライド移動させて支持部の位置調整を行うことができる。従って、遊技機の傾斜角度を調整する作業としては、外枠を設置空間に固定するために螺軸部材を捻じ込み操作する際、押圧固定部材をスライド移動させて支持部の位置を調整するだけでよいので、遊技機の傾斜角度を容易に調整することができる。
【００１３】
これに対して、遊技場に侵入して不正に遊技機の傾斜角度を変えるような場合には、取付部材に対する押圧固定部材のスライド移動位置を変更するために、螺軸部材を緩める必要がある。しかしながら、螺軸部材を一旦緩めてしまうと、これに伴って、押圧部が外枠の押圧を解除する方向に押圧固定部材を移動させることになり、結果として、遊技機固定装置による遊技機（外枠）の固定状態を解除することになってしまう。このため、遊技機を固定した状態のまま遊技機の傾斜角度だけを変えるような簡単な作業とは違い、遊技機を固定する作業も行う必要があり大掛かりな作業が強いられることになる。従って、不正に遊技機の傾斜角度を変える作業を困難なものとすることができ、ひいては、遊技機の傾斜角度を不正に変える行為を防止することができる。
【００１４】
また、請求項３の発明においては、外枠の下辺部分を固定する遊技機固定装置において、押圧固定部材と取付部材との間に弾性力付与部材を配置して、該弾性力付与部材の弾性力によって押圧固定部材が上方に移動する、言い換えれば、取付部材から遠ざかるようにする。これにより、螺合受部材の捻じ込みを弱めた状態でも、押圧固定部材の押圧部が自重によって下方に落ち込むことを回避できる。従って、外枠を設置空間に対して前方から挿入する際でも、外枠の設置空間内への挿入を阻害しない位置に押圧部を移動させておくことができ、外枠の固定作業を容易にできる。
【００１５】
また、請求項４の発明においては、コイル巻回径が下端から上端にかけて徐々に縮径したとぐろ状のコイルスプリングによって弾性力付与部材を構成する。そして、該コイルスプリングの上端部分のコイル巻回径を螺軸部材の軸径と同一にして螺軸部材を巻回するように配置する。このため、コイルスプリングは、その上端部分が螺軸部材に係止された状態で押圧固定部材と取付部材との間に配置さることになる。従って、部品交換等で遊技機固定装置を分解する際に、螺軸部材を緩めて押圧固定部材を取り外すときでも、コイルスプリングが不意に飛び出してしまうことを回避できる。その結果、遊技機固定装置の分解作業時に、コイルスプリングが遊技島台内に紛れ込んでしまい、遊技島台を構成する各種装置が正常に機能しなくなる（例えば、コイルスプリングがパチンコ玉の玉流れを阻害する等）不具合を回避することができる。
【図面の簡単な説明】
【００１６】
【図１】遊技島台の内部構造の一部と玉貸機、外枠、及び間仕切りを示す正面斜視図である。
【図２】遊技島台の内部構造の一部と玉貸機、外枠、及び間仕切りを示す裏面斜視図である。
【図３】上側遊技機固定装置と賞球補給装置がスライド調整機構を介して上部島枠に取り付けられた状態を示す上方からの斜視図である。
【図４】上側遊技機固定装置と賞球補給装置がスライド調整機構を介して上部島枠に取り付けられた状態を示す下方からの斜視図である。
【図５】同図（Ａ）は取付ベースを除いた上側遊技機固定装置を示す上方からの斜視図であり、同図（Ｂ）は取付ベースを除いた上側遊技機固定装置を示す下方からの斜視図である。
【図６】同図（Ａ）は上側遊技機固定装置及びスライド調整機構を示す縦断面図であり、    同図（Ｂ）はスライド調整機構を示す縦断面図である。
【図７】同図（Ａ）〜（Ｃ）はそれぞれ上側遊技機固定装置を示す縦断面図である。
【図８】下部島枠に取り付けられた下側遊技機固定装置を示す斜視図である。
【図９】同図（Ａ）は下側遊技機固定装置を示す斜視図であり、同図（Ｂ）は下側遊技機固定装置を示す分解斜視図である。
【図１０】同図（Ａ）〜（Ｄ）はそれぞれ下側遊技機固定装置を示す縦断面図である。
【図１１】同図（Ａ）は第二実施形態における下側遊技機固定装置を示す斜視図であり、同図（Ｂ）は第二実施形態における下側遊技機固定装置を示す一部分解斜視図であり、同図（Ｃ）は第二実施形態における下側遊技機固定装置を示す分解斜視図である。
【図１２】同図（Ａ）〜（Ｄ）はそれぞれ第二実施形態における下側遊技機固定装置を示す縦断面図である。
【図１３】同図（Ａ），（Ｂ）はそれぞれ従来例における下側遊技機固定装置を示す縦断面図であり、同図（Ｃ），（Ｄ）はそれぞれ第二実施形態における下側遊技機固定装置を示す縦断面図である。
【図１４】補強金具対応用の押圧固定部材が取り付けられた下側遊技機固定装置を示す斜視図である。
【図１５】スピーカ対応用の押圧固定部材が取り付けられた下側遊技機固定装置を示す斜視図である。
【図１６】補強金具対応用の押圧固定部材が取り付けられた下側遊技機固定装置及びスピーカ対応用の押圧固定部材が取り付けられた下側遊技機固定装置によって外枠を固定した状態を示す斜視図である。
【発明を実施するための形態】
【００１７】
以下、図面を参照して本発明の実施形態について説明する。先ず、図１及び図２を参照して、本実施形態に係る遊技島台１の概略構成について説明する。図１は、遊技島台１の内部構造の一部と玉貸機２、外枠９、及び間仕切り８を示す正面斜視図である。図２は、遊技島台１の内部構造の一部と玉貸機２、外枠９、及び間仕切り８を示す裏面斜視図である。
【００１８】
図１及び図２に示すように、遊技島台１には、複数の遊技機（図示しない）を取り付けるための上部島枠４と、下部島枠５と、がそれぞれ遊技機の高さ寸法とほぼ同一の間隔をあけて当該遊技島台１の長手方向に沿って掛け渡されている。下部島枠５の前端側は、遊技者が玉箱などを載置するためのいわゆるカウンター板６として突設されている。上部島枠４は、遊技機の上方に配置される図示しない補給樋などを覆い隠すための幕板３が取り付けられる固定枠のうちの下側の枠としての機能を兼ね備えている。下部島枠５の下方には、遊技島台１で循環使用されるパチンコ玉を貯留するための図示しない貯留タンクなどを覆い隠すための腰板１３が取り付けられる。
【００１９】
上部島枠４と下部島枠５との間には、複数の遊技機間で所定の間隔を設けるための複数の間仕切り８が、遊技機の横幅寸法に当該遊技機に隣接されてパチンコ玉の貸し出しを制御する玉貸機２の横幅寸法を加えた値とほぼ同一の間隔をあけて取り付けられている。そして、上部島枠４、下部島枠５、及び隣接する２本の間仕切り８によって区画された空間が１台の遊技機を設置するための設置空間１０として構成されている。なお、図１及び図２中には、木製材料から形成されて遊技機内枠（図示しない本体枠や遊技盤から構成される部材）の外周部分を覆う矩形状の外枠９と、該外枠９の下辺前端に取り付けられる装飾カバー板１１と、上部島枠４の後側上面に取り付けられて遊技機から排出されたパチンコ玉を図示しない回収樋に送り込むアウト玉箱１２と、遊技機（外枠９）に隣接して設けられる玉貸機２と、が設置空間１０に取り付けられた状態を図示している。また、遊技機は、装飾カバー板１１が取り付けられた外枠９と、該外枠９内に取り付けられる遊技機内枠とから構成されるものである。
【００２０】
また、設置空間１０を区画形成する下部島枠５には、傾斜角度（ねかせ角度）を調整可能に遊技機を当該設置空間１０内に固定するための下側遊技機固定装置２００が左右２箇所に取り付けられている。一方、設置空間１０を区画形成する上部島枠４には、傾斜角度（ねかせ角度）を調整可能に遊技機を当該設置空間１０内に固定するための上側遊技機固定装置１４０が左右２箇所に取り付けられている。なお、下側遊技機固定装置２００は、下部島枠５の後側上面にビスで固定されることにより下部島枠５の上面に取り付けられ、上側遊技機固定装置１４０は、上部島枠４の後端部分にビスで固定されることにより上部島枠４の下面に取り付けられる。また、外枠９の下辺部分は、下部島枠５の上面に固定された支承板７の上面に載置されるようになっている。
【００２１】
次に、上側遊技機固定装置１４０の構成について、図３乃至図７を参照して説明する。図３は、上側遊技機固定装置１４０と賞球補給装置１４がスライド調整機構１８０を介して上部島枠４に取り付けられた状態を示す上方からの斜視図である。図４は、上側遊技機固定装置１４０と賞球補給装置１４がスライド調整機構１８０を介して上部島枠４に取り付けられた状態を示す下方からの斜視図である。図５（Ａ）は、取付ベースを除いた上側遊技機固定装置１４０を示す上方からの斜視図であり、図５（Ｂ）は、取付ベース１４１を除いた上側遊技機固定装置１４０を示す下方からの斜視図である。図６（Ａ）は、上側遊技機固定装置１４０及びスライド調整機構１８０を示す縦断面図であり、図６（Ｂ）は、スライド調整機構１８０を示す縦断面図である。図７（Ａ）〜（Ｃ）は、それぞれ上側遊技機固定装置１４０を示す縦断面図である。
【００２２】
上側遊技機固定装置１４０は、図３及び図４に示すように、賞球補給装置１４と共にスライド調整機構１８０を介して上部島枠４に取り付けられる。なお、賞球補給装置１４は、補給樋から送り込まれるパチンコ玉を分岐装置及びスプリングホース（共に図示しない）を介して受け入れて、各遊技機の背面上部に設けられる賞球タンクに供給するものであり、金属板からなる支持基板１５、該支持基板１５に固着されると共にパチンコ玉を一列に整列して流下させる整列通路１６、該整列通路１６と連通すると共にその先端が賞球タンク内に臨む補給筒（図示しない）、該補給筒との間で二又状に形成された作動腕１７、等の各種構成部材から構成されている。また、スライド調整機構１８０は、賞球補給装置１４及び上側遊技機固定装置１４０をそれぞれ上部島枠４に対してスライド調整可能に固定するものであり、その詳細については後述する。
【００２３】
上側遊技機固定装置１４０は、図５及び図６に示すように、スライド調整機構１８０に取り付けられる取付ベース１４１と、該取付ベース１４１に一体的に取り付け固定される取付部材１４２と、外枠９の上辺部分の下面を上方に押圧して固定する押圧固定部材１４３と、該押圧固定部材１４３を取付部材１４２に対してスライド移動可能に取り付ける螺合受部材１４４及び螺軸部材としての取付ボルト１４５と、取付部材１４２内に配置されて螺合受部材１４４を付勢する弾性部材としてのコイルスプリング１４６と、取付部材１４２を取付ベース１４１に取り付け固定するための固定ボルト１４７と、押圧固定部材１４３に取り付けられて外枠９の上辺部分を押圧する押圧ボルト１４８と、を備えている。
【００２４】
取付ベース１４１は、長板状の基板部１５０を備えた金属板が折曲されて形成されており、基板部１５０の前端側には、取付ベース１４１を上部島枠４に設けられるスライド調整機構１８０に取り付けるための取付穴１５１を穿設した取付フランジ部１５２が折曲形成されている。基板部１５０には、固定ボルト１４７によって取付部材１４２を取付ベース１４１に固定するためのネジ穴１５３，１５４が前後２箇所に穿設されている。なお、固定ボルト１４７は、ネジ穴１５３，１５４のいずれか一方と螺合することで取付部材１４２を取付ベース１４１に固定するものである。また、基板部１５０の短手方向の両端には、それぞれ取付部材１４２の横幅方向の取付位置を規制するための規制フランジ部１５５が下方に折曲形成されている（図３及び図４参照）。即ち、左右一対の規制フランジ部１５５が形成された基板部１５０は、後述する取付部材１４２の左右の側壁面１５６を内嵌する断面凹形状に形成されている。
【００２５】
取付部材１４２は、金属板が折曲されて、左右の側壁面１５６、上壁面１５７、前壁面１５８、及び後壁面１５９を備えた形状に形成されている。上壁面１５７には、取付ボルト１４５を挿通するための挿通穴１６０が長穴形状に穿設されている。前壁面１５８の下端には、上側遊技機固定装置１４０によって外枠９を固定する際に外枠９の上辺部分の上端面と当接する当接フランジ部１６１が形成されている。一方、後壁面１５９の下端には、取付部材１４２を取付ベース１４１に取り付けるための取付フランジ部１６２が形成されており、該取付フランジ部１６２には、固定ボルト１４７を挿通するための挿通穴１６３が穿設されている。そして、取付部材１４２は、取付フランジ部１６２（挿通穴１６３）に挿通された固定ボルト１４７が、上部島枠４の後端部分にビス止めされた取付ベース１４１のネジ穴１５３，１５４のいずれか一方に捻じ込まれることで、取付ベース１４１に一体的に取り付け固定される。なお、このような取付部材１４２の取り付け状態において、上壁面１５７に穿設された長穴形状の挿通穴１６０は、その条設方向が設置空間１０に設置される遊技機（外枠９）の前後方向と並行になるように配される。
【００２６】
押圧固定部材１４３は、金属板が折曲されて、左右の側壁面１６４、上壁面１６５、及び後壁面１６６を備えた形状に形成されている。左右の側壁面１６４は、それぞれ取付部材１４２の左右の側壁面１５６を個々に外嵌する形状に形成されており、その前端部分は、設置空間１０に設置される外枠９の上辺部分の後端面と当接して該後端面を支持する支持部１６４ａを構成している。上壁面１６５の後側部分には、取付ボルト１４５を取り付けるための取付穴１６７が穿設されている。一方、上壁面１６５の前端側は、前方に延設されており、その先端部分は、下方にほぼ直角に折曲されて複数（実施形態中では、３つ）の押圧爪部１６８（押圧部）が形成されている。また、上壁面１６５の前側部分には、ボルト取付用のネジ穴１６５ａが穿設されている。このネジ穴は、押圧ボルト１４８の捻じ込みを可能にして、当該押圧ボルト１４８の先端部分で外枠９の上辺下面を押え込むようになっている。後壁面１６６は、側壁面１６４に比べて高さ寸法が短く設定されている。このため、押圧固定部材１４３を取付部材１４２に取り付けた状態で、後壁面１６６が取付部材１４２を外嵌することはなく、後壁面１６６の下端部分（以下、これを当接部１６６ａという）は、押圧固定部材１４３による外枠９の上辺部分の押圧状態に応じて取付部材１４２の上壁面１５７と当接するようになっている。
【００２７】
螺合受部材１４４は、前壁面１６９、後壁面１７０、及び上壁面１７１を備えた形状に金属板が折曲形成されて、取付部材１４２の上壁面１５７と取付ベース１４１の基板部１５０との間の空間内に配置される。上壁面１７１には、取付ボルト１４５と螺合するネジ穴１７２が穿設されている。取付ボルト１４５は、螺合受部材１４４のネジ穴１７２と螺合する雄ネジ部１７３と、該雄ネジ部１７３の上端に一体的に設けられて当該取付ボルト１４５を回転操作するための操作部１７４と、を備えている。そして、取付ボルト１４５の雄ネジ部１７３が、押圧固定部材１４３の取付穴１６７及び取付部材１４２の挿通穴１６０に順次挿通され、この状態から、螺合受部材１４４のネジ穴１７２に螺合される。これにより、押圧固定部材１４３が、螺合受部材１４４及び取付ボルト１４５によって取付部材１４２に取り付けられて、上側遊技機固定装置１４０が組み付けられる。なお、コイルスプリング１４６は、その一端が取付部材１４２の後壁面１５９と当接する一方、他端が螺合受部材１４４の後壁面１７０と当接するように取付部材１４２内に配置されて、螺合受部材１４４を常時前方に付勢するようになっている。
【００２８】
次に、上記した上側遊技機固定装置１４０及び賞球補給装置１４をそれぞれ上部島枠４に対してスライド調整可能に固定するスライド調整機構１８０について説明する。なお、以下の説明では、便宜的に、上側遊技機固定装置１４０をスライド調整可能に固定するスライド調整機構１８０についてのみ説明を行う。スライド調整機構１８０は、図６（Ａ），（Ｂ）に示すように、上部島枠４にビス止めされるスライドベース１８１と、上側遊技機固定装置１４０を構成する取付ベース１４１の取付フランジ部１５２に蝶ボルト１８２で取り付け固定されるスペーサ１８３及びスライド板１８４と、該スライド板１８４に取り付けられる蝶ボルト１８５及びワッシャー１８６と、から構成されている。
【００２９】
スライドベース１８１は、断面が「Ｌ」字状に形成されると共に、その全長が外枠９の横幅寸法とほぼ同一に設定されている。上部島枠４の上端面と面接触して固定されるスライドベース１８１の上壁片１８７には、ビス止め用の取付穴１８８が複数穿設され、スライドベース１８１の側壁片１８９には、スペーサ１８３及びスライド板１８４と係合するスライド溝１９１が上下一対の溝形成壁１９０によってスライドベース１８１の全長に亘って条設されている。
【００３０】
スペーサ１８３は、ほぼ正方形状の平板からなり、その平板面には蝶ボルト１８２と螺合するネジ穴１９２が穿設されている。一方、スライド板１８４は、スペーサ１８３に比べて若干大きめとなる横長方形状の平板からなり、その平板面には蝶ボルト１８２，１８５と個々に螺合するネジ穴１９３，１９４が長手方向に沿って穿設されている。そして、スペーサ１８３及びスライド板１８４は、それぞれネジ穴１９２，１９３を介して蝶ボルト１８２で取付ベース１４１の取付フランジ部１５２（取付穴１５１）に取り付け固定される。また、スペーサ１８３の横長寸法は、取付フランジ部１５２の横幅寸法とほぼ同一に設定されており、スライド板１８４の横長寸法は、取付フランジ部１５２の横幅寸法に比べて長めに設定されている。このため、スペーサ１８３は、取付フランジ部１５２の左右両側端から突出することなく取付ベース１４１に固定される。これに対して、スライド板１８４は、取付ベース１４１との間にスペーサ１８３を挟持した状態で且つその一端側（ネジ穴１９４が穿設された側）が取付フランジ部１５２の一側端から突出した状態で固定される。そして、取付フランジ部１５２から突出したスライド板１８４の一端側部分（ネジ穴１９４が穿設された部分）は、蝶ボルト１８５及びワッシャー１８６の取付部１９５を構成するようになっている。
【００３１】
しかして、上記したスライド調整機構１８０を構成するスライドベース１８１は、遊技島台１に設置される各遊技機毎に各取付穴１８８を介して上部島枠４にビス止めして取り付けられる。次いで、このように上部島枠４に固定されたスライドベース１８１のスライド溝１９１に、上側遊技機固定装置１４０の取付ベース１４１が蝶ボルト１８２で固定されたスライド調整機構１８０のスペーサ１８３及びスライド板１８４を側方からスライド挿入することで、上側遊技機固定装置１４０が上部島枠４に固定されたスライドベース１８１に対してスライド可能に取り付けられる。そして、遊技機を構成する外枠９の上辺部分を固定する位置に上側遊技機固定装置１４０をスライド移動させ、この状態でスライド板１８４の取付部１９５に取り付けられた蝶ボルト１８５を締め付ける。これにより、スライド板１８４とワッシャー１８６との間で、スライド溝１９１を形成するスライドベース１８１の溝形成壁１９０を挟持することになり、結果として、上側遊技機固定装置１４０が外枠９を固定する所望の位置に固定される。
【００３２】
次に、以上説明した上側遊技機固定装置１４０によって遊技機（外枠９）を設置空間１０内で傾斜角度の調整を可能に固定する手順について説明する。なお、上側遊技機固定装置１４０の組み付けにおいて、取付部材１４２は、取付ベース１４１に対して２通りの取り付け状態のうちいずれか一方の状態で取り付けが行われる。即ち、取付部材１４２の取付フランジ部１６２に螺合された固定ボルト１４７を取付ベース１４１の基板部１５０に穿設された後側のネジ穴１５４に捻じ込んで、取付部材１４２を取付ベース１４１に取り付け固定した場合には、図６（Ａ）に示すように、取付ベース１４１に対して取付部材１４２が後側に取り付けられることで、取付ベース１４１がビス止めされる上部島枠４に対して押圧固定部材１４３が後側に配置される。このため、外枠９の奥行き寸法が大きく設定されているとき、言い換えれば、外枠９の後端面が後方に入り込んで設置されるときには、図６（Ａ）に示す状態で押圧固定部材１４３を後側に配置することにより、奥行き寸法が大きい外枠９に対応した固定作業が行える。
【００３３】
一方、取付部材１４２の取付フランジ部１６２に螺合された固定ボルト１４７を取付ベース１４１の基板部１５０に穿設された前側のネジ穴１５３に捻じ込んで、取付部材１４２を取付ベース１４１に取り付け固定した場合には、取付ベース１４１に対して取付部材１４２が前側に取り付けられることで、取付ベース１４１がビス止めされる上部島枠４に対して押圧固定部材１４３が前側に配置される。このため、外枠９の奥行き寸法が小さく設定されているとき、言い換えれば、外枠９の後端面が後方に入り込まずに設置されるときには、押圧固定部材１４３を前側に配置することにより、奥行き寸法が小さい外枠９に対応した固定作業が行える。
【００３４】
そして、上記した上側遊技機固定装置１４０に対して、図７（Ａ）に示すように、外枠９の上辺上面が取付部材１４２の当接フランジ部１６１と当接された状態で設置空間１０内に外枠９が挿入されると、次いで、図７（Ｂ）に示すように、外枠９の上辺部分における傾斜角度を調整するための調整器具Ｃを用いて外枠９の傾斜角度を調整する。具体的には、調整器具Ｃの押圧面部Ｃ１を外枠９の上辺前面と当接させた状態で、調整器具Ｃの調整凹部Ｃ２が上部島枠４の前端面と当接する位置まで調整器具Ｃを押し込むことで、上部島枠４に対する外枠９の上辺部分の前後位置を調節し、これによって外枠９の上辺部分における傾斜角度を調整する。但し、この場合、外枠９の下辺部分を固定したことを前提として、外枠９の上辺部分を前後方向に位置調節することで傾斜角度の調整が行われるものである。また、このとき、押圧固定部材１４３は、押圧爪部１６８による外枠９の押圧を解除した状態にあり、取付部材１４２の挿通穴１６０に対する取付ボルト１４５の移動方向、言い換えれば、設置空間１０に設置される遊技機（外枠９）の前後方向に沿ってスライド移動が可能となっている。従って、調整器具Ｃによって外枠９が後方に押し込まれる際、これに伴って、押圧固定部材１４３は、側壁面１６４の前端部分である支持部１６４ａが外枠９の上辺後端面と当接した状態でコイルスプリング１４６の付勢力に抗して後方にスライド移動する。
【００３５】
その後は、図７（Ｃ）に示すように、取付ボルト１４５の雄ネジ部１７３を螺合受部材１４４のネジ穴１７２に捻じ込むことで、重力に抗して押圧固定部材１４３を取付部材１４２に近づく方向（上方向）に移動させ、最終的に、押圧爪部１６８が外枠９の上辺下面に刺し込まれながら当該上辺下面を上方に押し込む位置まで押圧固定部材１４３を移動させ、これによって、押圧固定部材１４３（押圧爪部１６８）と取付部材１４２の当接フランジ部１６１との間で外枠９の上辺部分を挟持固定する。また、このとき、押圧固定部材１４３のネジ穴１６５ａに押圧ボルト１４８を捻じ込むことで、当該押圧ボルト１４８の先端部分でも外枠９の上辺下面を押え込む。これにより、外枠９が硬質プラスチック等の硬質材料から形成されて硬度の高い外枠９を上側遊技機固定装置１４０で固定する場合でも、硬質な外枠９による押圧爪部１６８の押し返し（のけ反り）を抑えることができ、強い押し込み力で外枠９を確実に固定することができる。但し、外枠９がプラスチック製など比較的硬質な材料で形成されている場合には、押圧ボルト１４８に替えてビスを押圧固定部材１４３のネジ穴１６５ａに捻じ込んでビス止めするようにすれば、より強固に外枠９の固定を行うことができる。
【００３６】
なお、押圧固定部材１４３の押圧爪部１６８によって外枠９を下方から押圧して固定する際、押圧固定部材１４３は、押圧爪部１６８を介して外枠９の上辺下面から強い反力を受けることになるが、このような押圧爪部１６８による押圧状態で、押圧固定部材１４３の後壁面１６６の当接部１６６ａは、取付部材１４２の上壁面１５７と当接するようになっている。このため、押圧固定部材１４３の一端部分である押圧爪部１６８にかかる強い反力は、押圧固定部材１４３の他端部分である当接部１６６ａと当接する取付部材１４２の上壁面１５７で受けられるので、押圧固定部材１４３が外枠９からの反力を受けて変形するという事態を回避することができる。
【００３７】
また、上側遊技機固定装置１４０は、取付部材１４２内に配置されて螺合受部材１４４を前方に付勢するコイルスプリング１４６を備えた構成となっている。このため、取付ボルト１４５を介して螺合受部材１４４と一体的に取り付けられる押圧固定部材１４３も同様に、コイルスプリング１４６の弾性力によって前方に付勢されるようになっている。従って、遊技機（外枠９）を固定する場合、外枠９の上辺部分の後端面を支持する押圧固定部材１４３の支持部１６４ａは、常に外枠９の上辺部分を前方に押圧する方向、言い換えれば、外枠９の上辺部分の後端面との隙間をなくす方向に自動的に移動することになる。その結果、押圧固定部材１４３の支持部１６６ａと外枠９の上辺部分の後端面とを密着させることで、外枠９を確実に支持した状態で上側遊技機固定装置１４０による遊技機（外枠９）の固定を行うことができる。
【００３８】
さらには、コイルスプリング１４６の弾性力によって押圧固定部材１４３を前方に付勢する構成とすることで、遊技機を固定していない状態で、常に押圧固定部材１４３をスライド移動可能な最前方位置に移動させておくことができる。このため、設置空間１０への遊技機の取り付け及び取り外し作業毎で押圧固定部材１４３を後方位置から前方に戻すような些細な作業が不要になる。然も、入れ替えて設置する遊技機（外枠９）の奥行き寸法が入れ替え前のものと異なるような場合でも、押圧固定部材１４３の支持部１６４ａは、常に外枠９を前方に押圧する方向、言い換えれば、外枠９の上辺部分の後端面との隙間をなくす方向に自動的に移動することになるので、外枠９の奥行き寸法に応じて押圧固定部材１４３を前後方向に移動調整する必要がなくなり、外枠９の固定作業を容易にできる。
【００３９】
なお、遊技機の固定作業をやり慣れない作業員の場合、押圧固定部材１４３の支持部１６６ａと外枠９の上辺部分の後端面との間で隙間が生じてしまい、外枠９の支持状態が不安定のまま遊技機を固定してしまうようなこともあり得るが、上記した構成であれば、固定作業の熟練度合いに関わらず確実な支持状態で遊技機を固定することができる。
【００４０】
また、上記した構成によれば、コイルスプリング１４６の弾性力によって押圧固定部材１４３の支持部１６４ａが前後方向に移動する場合、これに伴って押圧固定部材１４３の押圧爪部１６８も一体的に前後方向に移動するようになっている。このため、上側遊技機固定装置１４０は、奥行き寸法が異なった遊技機（外枠９）を固定する際でも、外枠９の上辺部分の後端面から所定の前方位置を押圧することになる。その結果、外枠９の奥行き寸法が極端に短く設定される、あるいは傾斜角度の調整として外枠９を極端に前側に移動させることで、支持部１６４ａの位置をかなり前方に移動させる必要がある場合でも、押圧爪部１６８による外枠９の固定位置が後端になってしまうことを回避することができ、確実に外枠を固定することができる。なお、このような作用については、後述する第二実施形態における下側遊技機固定装置３００の説明で詳細に説明する。
【００４１】
次に、本発明に係る第一実施形態の下側遊技機固定装置２００の構成について、図８乃至図１０を参照して説明する。図８は、下部島枠５に取り付けられた下側遊技機固定装置２００を示す斜視図である。図９（Ａ）は、下側遊技機固定装置２００を示す斜視図であり、図９（Ｂ）は、下側遊技機固定装置２００を示す分解斜視図である。図１０（Ａ）〜（Ｄ）は、それぞれ下側遊技機固定装置２００を示す縦断面図である。
【００４２】
下側遊技機固定装置２００は、図８に示すように、アウト玉箱１２と共に下部島枠５に取り付けられる。なお、下部島枠５に取り付けられる下側遊技機固定装置２００及びアウト玉箱１２についても、前述した上側遊技機固定装置１４０と同様に、スライド調整機構１８０を介して下部島枠５に取り付けることで、下部島枠５に対してスライド調整可能に固定するようにしてもよい。
【００４３】
下側遊技機固定装置２００は、図９に示すように、下部島枠５の上面に固定される取付ベース２０１と、該取付ベース２０１の上側に取り付けられる取付部材２０２と、外枠９の下辺部分の上面を下方に押圧することで外枠の下辺部分を固定する押圧固定部材２０３と、該押圧固定部材２０３を取付部材２０２の上側に取り付ける螺合部材２０４，２０５と、を備えている。なお、図示の実施形態の場合には、取付部材２０２は取付ベース２０１と一体的に下部島枠５に取り付けられるようになっており、押圧固定部材２０３は、取付部材２０２に対してスライド移動可能に取り付けられ、螺合部材２０４，２０５は、螺合受部材２０４と螺軸部材としての取付ボルト２０５とから構成されている。更に、本実施形態に係る下側遊技機固定装置２００おいては、後に詳述する２つのコイルスプリング２０７，２０９も備えている。
【００４４】
取付ベース２０１は、ほぼ正方形状の金属板からなり、その四隅部分の近傍にはそれぞれ取付ベース２０１を下部島枠５にビス止めするための取付穴２１０が穿設されている。但し、実際にビス止めされる取付穴２１０は、取付ベース２０１の前端側に穿設された２つの取付穴２１０である。取付部材２０２は、金属板が折曲されて、上壁面２１１、左右の側壁面２１２ａ、及び後壁面２１２ｂを備えた形状に形成されている。上壁面２１１には、取付ボルト２０５を挿通するための挿通穴２１１ａが長穴形状に穿設されている。左右の側壁面２１２ａの下端には、それぞれ取付部材２０２を取付ベース２０１上に取り付けるための取付フランジ部２１３が形成されており、該取付フランジ部２１３には、取付ベース２０１に穿設された４つの取付穴２１０と個々に対応する取付穴２１３ａが穿設されている。そして、取付ベース２０１及び取付部材２０２は、それぞれ各取付穴２１０，２１３ａを介して下部島枠５に一体的にビス止めして取り付けられる。なお、取付部材２０２は、長穴形状をなす挿通穴２１１ａの条設方向が設置空間１０に設置される遊技機（外枠９）の前後方向と並行になるように取り付けられる。
【００４５】
押圧固定部材２０３は、金属板が折曲されて、左右の側壁面２１４、上壁面２１５、及び後壁面２１６を備えた形状に形成されている。左右の側壁面２１４は、それぞれ取付部材２０２の左右の側壁面２１２ａを個々に外嵌する形状に形成されており、その前端部分は、設置空間１０に設置される外枠９の下辺部分の後端面と当接して該後端面を支持する支持部２１４ａを構成している。上壁面２１５の後側寄り部分には、取付ボルト２０５を取り付けるための取付穴２１７が穿設されている。一方、上壁面２１５の前端側は、設置空間１０に設置される遊技機の外枠９の下辺部分の上方の位置まで延設されており、その先端部分は、下方にほぼ直角に折曲されて複数（実施形態中では、３つ）の押圧爪部２１８（押圧部）が形成されている。また、上壁面２１５の前側部分には、必要に応じて使用されるボルト取付用のネジ穴２１９が穿設されている。このネジ穴２１９は、押圧ボルト（図示しない）の捻じ込みを可能にして、当該押圧ボルトの先端部分で外枠９の下辺上面を補助的に押え込むようになっている。後壁面２１６は、側壁面２１４に比べて高さ寸法が短く設定されている。このため、押圧固定部材２０３を取付部材２０２に取り付けた状態で、左右の側壁面２１４が取付部材２０２の左右の側壁面２１２ａを外嵌することができるようになっており、後壁面２１６の下端部分（以下、これを当接部２１６ａという）は、押圧固定部材２０３による外枠９の下辺部分の押圧状態に応じて取付部材２０２の上壁面２１１と当接するようになっている。
【００４６】
螺合受部材２０４は、前壁面２２０ａ、後壁面２２０ｂ、及び上壁面２２１を備えた形状に金属板が折曲形成されて、取付部材２０２の上壁面２１１と取付ベース２０１との間の空間内に配置される。上壁面２２１には、取付ボルト２０５と螺合するネジ穴２２２が穿設されている。なお、螺合受部材２０４の後壁面２２０ｂと取付部材２０２の後壁面２１２ｂとの間には、コイルスプリング２０９が配置される。これにより、螺合受部材２０４は、コイルスプリング２０９の弾性力によって、常時前方に付勢されるようになっている。取付ボルト２０５は、螺合受部材２０４のネジ穴２２２と螺合する雄ネジ部２２３と、該雄ネジ部２２３の上端に一体的に設けられて当該取付ボルト２０５を回転操作するための操作部２２４と、を備えている。
【００４７】
そして、取付ボルト２０５が、押圧固定部材２０３の取付穴２１７、コイルスプリング２０７、及び取付部材２０２の挿通穴２１１ａに順次挿通され、この状態から、雄ネジ部２２３の下端部分が、螺合受部材２０４のネジ穴２２２に螺合される。これにより、押圧固定部材２０３が、螺合受部材２０４、及び取付ボルト２０５によって取付部材２０２に取り付けられて、下側遊技機固定装置２００が組み付けられる。また、このような下側遊技機固定装置２００の組み付けによって、押圧固定部材２０３の上壁面２１５と取付部材２０２の上壁面２１１との間には、コイルスプリング２０７が配置されることになり、該コイルスプリング２０７は、上壁面２１５が取付ボルト２０５の操作部２２４と当接するように押圧固定部材２０３を常時付勢する。なお、コイルスプリング２０７は、そのコイル巻回径が下端から上端にかけて徐々に縮径することで、とぐろ状に形成されており、上端部分のコイル巻回径は、取付ボルト２０５の雄ネジ部２２３のネジ径と同一に設定されている。また、螺合受部材２０４の後壁面２２０ｂと取付部材２０２の後壁面２１２ｂとの間に配置されたコイルスプリング２０９は、前述したように螺合受部材２０４を常時前方に付勢するものであるが、この螺合受部材２０４と取付ボルト２０５によって連結される押圧固定部材２０３も常時前方に付勢するものである。
【００４８】
しかして、以上説明した下側遊技機固定装置２００によって外枠９の下辺部分を設置空間１０内に固定する場合、図１０（Ａ）に示すように、先ず、外枠９を設置空間１０の前方から挿し入れる。このとき、取付ボルト２０５の雄ネジ部２２３が螺合受部材２０４のネジ穴２２２に対して緩めることで、押圧固定部材２０３は、コイルスプリング２０７の付勢力によって取付部材２０２から遠ざかる方向（上方向）に移動されている。これにより、螺合受部材２０４に対する取付ボルト２０５の捻じ込みを弱めた状態でも、押圧固定部材２０３の押圧爪部２１８が自重によって下方に落ち込むことを回避できる。従って、外枠９を設置空間１０に対して前方から挿入する際でも、外枠９の設置空間１０内への挿入を阻害しない位置に押圧爪部２１８を移動させておくことができ、外枠９の固定作業を容易にできる。
【００４９】
また、このとき、押圧固定部材２０３は、取付ボルト２０５（雄ネジ部２２３）のネジ穴２２２に対する捻じ込みが緩められ、然も、外枠９に対して押圧爪部２１８が当接して押圧していない状態にあるため、取付部材２０２の挿通穴２１１ａに対する取付ボルト２０５の移動方向、言い換えれば、設置空間１０に設置される遊技機（外枠９）の前後方向に沿ってスライド移動が可能となっている。そして、図１０（Ｂ），（Ｃ）に示すように、外枠９の下辺部分を支承板７上で前後方向に移動調整することで、下部島枠５に対する外枠９の下辺部分の前後位置を調節し、これによって外枠９の下辺部分における遊技機の傾斜角度を調整する。但し、この場合、外枠９の上辺部分を固定したことを前提として、外枠９の下辺部分を前後方向に位置調節することで遊技機の傾斜角度の調整が行われるものである。また、外枠９の下辺部分を前後方向に移動する際、これに伴って、押圧固定部材２０３は、側壁面２１４の前端部分である支持部２１４ａが外枠９の下辺後端面と当接した状態でコイルスプリング２０９の付勢力に抗して後方にスライド移動したり付勢力により前方にスライド移動したりする。
【００５０】
その後、図１０（Ｄ）に示すように、外枠９の下辺部分における前後位置を調節することで、外枠９の下辺部分における遊技機の傾斜角度の調整が完了すると、取付ボルト２０５の雄ネジ部２２３を螺合受部材２０４のネジ穴２２２に捻じ込むことで、コイルスプリング２０７の付勢力に抗して押圧固定部材２０３を取付部材２０２に近づく方向（下方向）に移動し、最終的に、押圧爪部２１８が外枠９の下辺上面に刺し込まれながら押圧固定部材２０３を移動させる。これにより、押圧固定部材２０３（押圧爪部２１８）と支承板７との間で外枠９の下辺部分を挟持固定する。また、このとき、押圧固定部材２０３のネジ穴２１９に押圧ボルト（図示しない）を捻じ込むことで、当該押圧ボルトの先端部分でも外枠９の下辺上面を補助的に押え込むことができる。これにより、外枠９が硬質プラスチック等の硬質材料から形成されて硬度の高い外枠９を下側遊技機固定装置２００で固定する場合でも、硬質な外枠９による押圧爪部２１８の押し返し（のけ反り）を抑えることができ、強い押し込み力で外枠９を確実に固定することができる。但し、外枠９がプラスチック製など比較的硬質な材料で形成されている場合には、押圧ボルトに替えてネジを押圧固定部材２０３のネジ穴２１９に捻じ込んでネジ止めするようにすれば、より強固に外枠９の固定を行うことができる。
【００５１】
また、下側遊技機固定装置２００においても、前述した上側遊技機固定装置１４０と同様に、取付部材２０２内に配置されて螺合受部材２０４を前方に付勢するコイルスプリング２０９を備えた構成となっている。このため、取付ボルト２０５を介して螺合受部材２０４と一体的に取り付けられる押圧固定部材２０３も同様に、コイルスプリング２０９の弾性力によって前方に付勢されるようになっている。従って、遊技機（外枠９）を固定する場合、外枠９の下辺部分の後端面を支持する押圧固定部材２０３の支持部２１４ａは、常に外枠９の下辺部分を前方に押圧する方向、言い換えれば、外枠９の下辺部分の後端面との隙間をなくす方向に自動的に移動することになる。その結果、押圧固定部材２０３の支持部２１４ａと外枠９の下辺部分の後端面とを密着させることで、外枠９を確実に支持した状態で下側遊技機固定装置２００による遊技機（外枠９）の固定を行うことができる。
【００５２】
さらには、コイルスプリング２０９の弾性力によって押圧固定部材２０３を前方に付勢する構成とすることで、遊技機を固定していない状態で、常に押圧固定部材２０３をスライド移動可能な最前方位置に移動させておくことができる。このため、設置空間１０への遊技機の取り付け及び取り外し作業毎で押圧固定部材２０３を後方位置から前方に戻すような些細な作業が不要になる。然も、入れ替えて設置する遊技機（外枠９）の奥行き寸法が入れ替え前のものと異なるような場合でも、押圧固定部材２０３の支持部２１４ａは、常に外枠９を前方に押圧する方向、言い換えれば、外枠９の下辺部分の後端面との隙間をなくす方向に自動的に移動することになるので、外枠９の奥行き寸法に応じて押圧固定部材２０３を前後方向に移動調整する必要がなくなり、外枠９の固定作業を容易にできる。
【００５３】
また、上記した構成によれば、コイルスプリング２０９の弾性力によって押圧固定部材２０３の支持部２１４ａが前後方向に移動する場合、これに伴って押圧固定部材２０３の押圧爪部２１８も一体的に前後方向に移動するようになっている。このため、下側遊技機固定装置２００は、奥行き寸法が異なった遊技機（外枠９）を固定する際でも、外枠９の下辺部分の後端面から所定の前方位置を押圧することになる。その結果、外枠９の奥行き寸法が極端に短く設定される、あるいは遊技機の傾斜角度の調整として外枠９を極端に前側に移動させることで、支持部２１４ａの位置をかなり前方に移動させる必要がある場合でも、押圧爪部２１８による外枠９の固定位置が後端になってしまうことを回避することができ、確実に外枠を固定することができる。なお、このような作用については、後述する第二実施形態における下側遊技機固定装置３００の説明で詳細に説明する。
【００５４】
また、上記した押圧固定部材２０３の押圧爪部２１８によって外枠９を上方から押圧して固定する際、押圧固定部材２０３は、押圧爪部２１８を介して外枠９の下辺上面から強い反力を受けることになるが、このような押圧爪部２１８による押圧状態で、押圧固定部材２０３の後壁面３１６の当接部３１６ａは、取付部材２０２の上壁面３１と当接するようになっている。このため、押圧固定部材２０３の一端部分である押圧爪部２１８にかかる強い反力は、押圧固定部材２０３の他端部分である当接部３１６ａと当接する取付部材２０２の上壁面３１で受けられるので、押圧固定部材２０３が外枠９からの反力を受けて変形するという事態を抑制することができる。
【００５５】
ところで、押圧固定部材２０３の上壁面２１５と取付部材２０２の上壁面２１１との間に配置されるコイルスプリング２０７は、押圧固定部材２０３を常時上方に付勢することで、押圧固定部材２０３の押圧爪部２１８が外枠９の下辺上面を下方に押し込んでいない状態でも、押圧爪部２１８が設けられる押圧固定部材２０３の先端側が自重によって下方に落ち込まない、言い換えれば、支承板７との間隔を狭める方向に移動しないようにしている。このため、外枠９を設置空間１０の前方から挿し入れる際に、押圧固定部材２０３を取付部材２０２から遠ざかる方向（上方向）に移動させた状態でも、押圧固定部材２０３の先端側（押圧爪部２１８側）の落ち込みを抑えて、押圧爪部２１８が外枠９の設置空間１０内への挿入を阻害しないようにできる。
【００５６】
また、コイルスプリング２０７は、そのコイル巻回径が下端から上端にかけて徐々に縮径することで、とぐろ状に形成されており、上端部分のコイル巻回径は、取付ボルト２０５の雄ネジ部２２３のネジ径と同一に設定されている。このため、コイルスプリング２０７は、その上端部分が雄ネジ部２２３に係止された状態で押圧固定部材２０３と取付部材２０２との間に配置されることになる。従って、部品交換等で下側遊技機固定装置２００を分解する際に、螺合受部材２０４に対する取付ボルト２０５の捻じ込みを解除して押圧固定部材２０３を取り外すときでも、コイルスプリング２０７が雄ネジ部２２３からはずれて不意に飛び出してしまうことを回避できる。その結果、下側遊技機固定装置２００の分解作業時に、コイルスプリング２０７が遊技島台１内でパチンコ玉の玉流れを阻害する場所に紛れ込んでしまう不具合を回避することができる。
【００５７】
なお、本発明に係る遊技機固定装置は、以上説明した上側遊技機固定装置１４０及び下側遊技機固定装置２００の構成に限定するものではない。以下、その他の構成を第二実施形態における下側遊技機固定装置３００として、図１１乃至図１３を参照して説明する。図１１（Ａ）は、第二実施形態における下側遊技機固定装置３００を示す斜視図であり、図１１（Ｂ）は、第二実施形態における下側遊技機固定装置３００を示す一部分解斜視図であり、図１１（Ｃ）は、第二実施形態における下側遊技機固定装置３００を示す分解斜視図である。図１２（Ａ）〜（Ｄ）は、それぞれ第二実施形態における下側遊技機固定装置３００を示す縦断面図である。図１３（Ａ），（Ｂ）は、それぞれ従来例における下側遊技機固定装置４００を示す縦断面図であり、図１３（Ｃ），（Ｄ）は、それぞれ第二実施形態における下側遊技機固定装置３００を示す縦断面図である。
【００５８】
下側遊技機固定装置３００は、図１１（Ａ）〜（Ｃ）に示すように、下部島枠５の上面に取付ベース３０１を介して固定されるベース部材３０８と、該ベース部材３０８の上側に取り付けられる取付部材３０２と、外枠９の下辺部分の上面を下方に押圧することで外枠の下辺部分を固定する押圧固定部材３０３と、該押圧固定部材３０３を取付部材３０２の上側に取り付ける螺合部材３０４，３０５と、を備えている。なお、図示の実施形態の場合には、取付ベース部材３０８は取付ベース３０１と一体的に下部島枠５に取り付けられるようになっており、押圧固定部材３０３は、取付部材３０２に対してスライド移動可能に取り付けられ、螺合部材３０４，３０５は、螺合受部材３０４と螺軸部材としての取付ボルト３０５とから構成されている。更に、第二実施形態に係る下側遊技機固定装置３００おいては、後に詳述する２つのコイルスプリング３０７，３０９も備えている。
【００５９】
取付ベース３０１は、長方形状の木材からなり、関東枠と関西枠の高さが異なる場合のスペーサの役割を果たしている。また、取付ベース３０１には、当該取付ベース３０１を下部島枠５にビス止めするための取付穴３１０が６箇所に穿設されている。ベース部材３０８は、取付ベース３０１に穿設された６つの取付穴３１０と個々に対応する６つの取付穴３３０が穿設された長方形状の金属板からなる。また、ベース部材３０８の後端部分には、固定ボルト３０６を介して取付部材３０２を当該ベース部材３０８に取り付けるための固定穴３３１が穿設される一方、ベース部材３０８の前端部分には、取付部材３０２を係止するＴ字状の係止突片３３２が立設されている。なお、Ｔ字状をなす係止突片３３２の上辺部を形成する左右の突出部分は、それぞれ後述する左右一対の係合突起３１３の各上下位置決め係合部３１３ａと個々に係合する上下位置決め係止部３３２ａを構成しており、該上下位置決め係止部３３２ａと上下位置決め係合部３１３ａとの係合によって、取付部材３０２をベース部材３０８に対して上下方向で位置決め固定するようになっている。また、Ｔ字状をなす係止突片３３２の垂直基部の両端部分は、それぞれ左右一対の係合突起３１３の各左右位置決め係合部３１３ｂと個々に係合する左右位置決め係止部３３２ｂを構成しており、該左右位置決め係止部３３２ｂと左右位置決め係合部３１３ｂとの係合によって、取付部材３０２をベース部材３０８に対して左右方向で位置決め固定するようになっている。
【００６０】
取付部材３０２は、金属板が折曲されて、上壁面３１１、左右の側壁面３１２ａ、及び後壁面３１２ｂを備えた形状に形成されている。上壁面３１１には、取付ボルト３０５を挿通するための挿通穴３１１ａが長穴形状に穿設されている。左右の側壁面３１２ａの前端には、それぞれベース部材３０８の係止突片３３２と係合する左右一対の係合突起３１３が形成されている。係合突起３１３の上端部分は、ベース部材３０８の上下位置決め係止部３３２ａと係合する上下位置決め係合部３１３ａを構成しており、係合突起３１３の内壁部分は、ベース部材３０８の左右位置決め係止部３３２ｂと係合する左右位置決め係合部３１３ｂを構成している。また、後壁面３１２ｂの下端には、取付部材３０２をベース部材３０８に固定ボルト３０６で固定するための固定フランジ部３３３が後方に向かって延設形成されており、該固定フランジ部３３３には、ベース部材３０８に穿設された固定穴３３１と対応する取付穴３３３ａが穿設されている。
【００６１】
そして、取付ベース３０１及びベース部材３０８は、それぞれ各取付穴３１０，３３０を介して下部島枠５に一体的にビス止めして取り付けられる。また、このようにして下部島枠５上に取り付けられたベース部材３０８に対して、取付部材３０２が取り付けられる。具体的には、ベース部材３０８の係止突片３３２（上下位置決め係止部３３２ａ、左右位置決め係止部３３２ｂ）に対して、取付部材３０２の係合突起３１３（上下位置決め係合部３１３ａ、左右位置決め係合部３１３ｂ）が係止されると共に、ベース部材３０８の固定穴３３１に対して、取付部材３０２の固定フランジ部３３３に設けられた取付穴３３３ａが固定ボルト３０６で固定されることで、ベース部材３０８上に取付部材３０２が取り付けられる。なお、取付部材３０２は、長穴形状をなす挿通穴３１１ａの条設方向が設置空間１０に設置される遊技機（外枠９）の前後方向と並行になるように取り付けられる。
【００６２】
押圧固定部材３０３は、金属板が折曲されて、左右の側壁面３１４、上壁面３１５、及び後壁面３１６を備えた形状に形成されている。左右の側壁面３１４は、それぞれ取付部材３０２の左右の側壁面３１２ａを個々に外嵌する形状に形成されており、その前端部分は、設置空間１０に設置される外枠９の下辺部分の後端面と当接して該後端面を支持する支持部３１４ａを構成している。上壁面３１５の後側寄り部分には、取付ボルト３０５を取り付けるための取付穴３１７が穿設されている。一方、上壁面３１５の前端側は、設置空間１０に設置される遊技機の外枠９の下辺部分の上方の位置まで延設されており、その先端部分は、下方にほぼ直角に折曲されて複数（実施形態中では、３つ）の押圧爪部３１８（押圧部）が形成されている。また、上壁面３１５の前側部分には、必要に応じて使用されるボルト取付用のネジ穴３１９が穿設されている。このネジ穴３１９は、押圧ボルト（図示しない）の捻じ込みを可能にして、当該押圧ボルトの先端部分で外枠９の下辺上面を補助的に押え込むようになっている。後壁面３１６は、側壁面３１４に比べて高さ寸法が短く設定されている。このため、押圧固定部材３０３を取付部材３０２に取り付けた状態で、左右の側壁面３１４が取付部材３０２の左右の側壁面３１２ａを外嵌することができるようになっており、後壁面３１６の下端部分（以下、これを当接部３１６ａという）は、押圧固定部材３０３による外枠９の下辺部分の押圧状態に応じて取付部材３０２の上壁面３１１と当接するようになっている。
【００６３】
螺合受部材３０４は、前壁面３２０ａ、後壁面３２０ｂ、及び上壁面３２１を備えた形状に金属板が折曲形成されて、取付部材３０２の上壁面３１１とベース部材３０８との間の空間３２５内に配置される。上壁面３２１には、取付ボルト３０５と螺合するネジ穴３２２が穿設されている。なお、螺合受部材３０４の後壁面３２０ｂと取付部材３０２の後壁面３１２ｂとの間には、コイルスプリング３０９が配置される。これにより、螺合受部材３０４は、コイルスプリング３０９の弾性力によって、常時前方に付勢されるようになっている。取付ボルト３０５は、螺合受部材３０４のネジ穴３２２と螺合する雄ネジ部３２３と、該雄ネジ部３２３の上端に一体的に設けられて当該取付ボルト３０５を回転操作するための操作部３２４と、を備えている。
【００６４】
そして、取付ボルト３０５が、押圧固定部材３０３の取付穴３１７、コイルスプリング３０７、及び取付部材３０２の挿通穴３１１ａに順次挿通され、この状態から、雄ネジ部３２３の下端部分が、螺合受部材３０４のネジ穴３２２に螺合される。これにより、押圧固定部材３０３が、螺合受部材３０４、及び取付ボルト３０５によって取付部材３０２に取り付けられて、下側遊技機固定装置３００が組み付けられる。また、このような下側遊技機固定装置３００の組み付けによって、押圧固定部材３０３の上壁面３１５と取付部材３０２の上壁面３１１との間には、コイルスプリング３０７が配置されることになり、該コイルスプリング３０７は、上壁面３１５が取付ボルト３０５の操作部３２４と当接するように押圧固定部材３０３を常時付勢する。なお、コイルスプリング３０７は、そのコイル巻回径が下端から上端にかけて徐々に縮径することで、とぐろ状に形成されており、上端部分のコイル巻回径は、取付ボルト３０５の雄ネジ部３２３のネジ径と同一に設定されている。また、螺合受部材３０４の後壁面３２０ｂと取付部材３０２の後壁面３１２ｂとの間に配置されたコイルスプリング３０９は、前述したように螺合受部材３０４を常時前方に付勢するものであるが、この螺合受部材３０４と取付ボルト３０５によって連結される押圧固定部材３０３も常時前方に付勢するものである。
【００６５】
しかして、以上説明した下側遊技機固定装置３００によって外枠９の下辺部分を設置空間１０内に固定する場合、図１２（Ａ）に示すように、先ず、外枠９を設置空間１０の前方から挿し入れる。このとき、取付ボルト３０５の雄ネジ部３２３が螺合受部材３０４のネジ穴３２２に対して緩めることで、押圧固定部材３０３は、コイルスプリング３０７の付勢力によって取付部材３０２から遠ざかる方向（上方向）に移動されている。これにより、螺合受部材３０４に対する取付ボルト３０５の捻じ込みを弱めた状態でも、押圧固定部材３０３の押圧爪部３１８が自重によって下方に落ち込むことを回避できる。従って、外枠９を設置空間１０に対して前方から挿入する際でも、外枠９の設置空間１０内への挿入を阻害しない位置に押圧爪部３１８を移動させておくことができ、外枠９の固定作業を容易にできる。
【００６６】
また、このとき、押圧固定部材３０３は、取付ボルト３０５（雄ネジ部３２３）のネジ穴３２２に対する捻じ込みが緩められ、然も、外枠９に対して押圧爪部３１８が当接して押圧していない状態にあるため、取付部材３０２の挿通穴３１１ａに対する取付ボルト３０５の移動方向、言い換えれば、設置空間１０に設置される遊技機（外枠９）の前後方向に沿ってスライド移動が可能となっている。そして、図１２（Ｂ），（Ｃ）に示すように、外枠９の下辺部分を支承板７上で前後方向に移動調整することで、下部島枠５に対する外枠９の下辺部分の前後位置を調節し、これによって外枠９の下辺部分における遊技機の傾斜角度を調整する。但し、この場合、外枠９の上辺部分を固定したことを前提として、外枠９の下辺部分を前後方向に位置調節することで遊技機の傾斜角度の調整が行われるものである。また、外枠９の下辺部分を前後方向に移動する際、これに伴って、押圧固定部材３０３は、側壁面３１４の前端部分である支持部３１４ａが外枠９の下辺後端面と当接した状態でコイルスプリング３０９の付勢力に抗して後方にスライド移動したり付勢力により前方にスライド移動したりする。
【００６７】
その後、図１２（Ｄ）に示すように、外枠９の下辺部分における前後位置を調節することで、外枠９の下辺部分における遊技機の傾斜角度の調整が完了すると、取付ボルト３０５の雄ネジ部３２３を螺合受部材３０４のネジ穴３２２に捻じ込むことで、コイルスプリング３０７の付勢力に抗して押圧固定部材３０３を取付部材３０２に近づく方向（下方向）に移動し、最終的に、押圧爪部３１８が外枠９の下辺上面に刺し込まれながら押圧固定部材３０３を移動させる。これにより、押圧固定部材３０３（押圧爪部３１８）と支承板７との間で外枠９の下辺部分を挟持固定する。また、このとき、押圧固定部材３０３のネジ穴３１９に押圧ボルト（図示しない）を捻じ込むことで、当該押圧ボルトの先端部分でも外枠９の下辺上面を補助的に押え込むことができる。これにより、外枠９が硬質プラスチック等の硬質材料から形成されて硬度の高い外枠９を下側遊技機固定装置３００で固定する場合でも、硬質な外枠９による押圧爪部３１８の押し返し（のけ反り）を抑えることができ、強い押し込み力で外枠９を確実に固定することができる。但し、外枠９がプラスチック製など比較的硬質な材料で形成されている場合には、押圧ボルトに替えてネジを押圧固定部材３０３のネジ穴３１９に捻じ込んでネジ止めするようにすれば、より強固に外枠９の固定を行うことができる。
【００６８】
また、下側遊技機固定装置３００においても、前述した上側遊技機固定装置１４０及び下側遊技機固定装置２００と同様に、取付部材３０２内に配置されて螺合受部材３０４を前方に付勢するコイルスプリング３０９を備えた構成となっている。このため、取付ボルト３０５を介して螺合受部材３０４と一体的に取り付けられる押圧固定部材３０３も同様に、コイルスプリング３０９の弾性力によって前方に付勢されるようになっている。従って、遊技機（外枠９）を固定する場合、外枠９の下辺部分の後端面を支持する押圧固定部材３０３の支持部３１４ａは、常に外枠９の下辺部分を前方に押圧する方向、言い換えれば、外枠９の下辺部分の後端面との隙間をなくす方向に自動的に移動することになる。その結果、押圧固定部材３０３の支持部３１４ａと外枠９の下辺部分の後端面とを密着させることで、外枠９を確実に支持した状態で下側遊技機固定装置３００による遊技機（外枠９）の固定を行うことができる。
【００６９】
さらには、コイルスプリング３０９の弾性力によって押圧固定部材３０３を前方に付勢する構成とすることで、遊技機を固定していない状態で、常に押圧固定部材３０３をスライド移動可能な最前方位置に移動させておくことができるため、設置空間１０への遊技機の取り付け及び取り外し作業毎で押圧固定部材３０３を後方位置から前方に戻すような些細な作業が不要になる。然も、入れ替えて設置する遊技機（外枠９）の奥行き寸法が入れ替え前のものと異なるような場合でも、押圧固定部材３０３の支持部３１４ａは、常に外枠９を前方に押圧する方向、言い換えれば、外枠９の下辺部分の後端面との隙間をなくす方向に自動的に移動することになるので、外枠９の奥行き寸法に応じて押圧固定部材３０３を前後方向に移動調整する必要がなくなり、外枠９の固定作業を容易にできる。
【００７０】
なお、上記したようなコイルスプリング３０９の弾性力によって押圧固定部材３０３を前方に付勢する構成によれば、確実に外枠を固定する効果を奏するようになっている。以下、これについて、図１３を参照して、従来例における下側遊技機固定装置４００の構成と比較して説明する。下側遊技機固定装置４００は、本明細書の［背景技術］に示した特許文献３の遊技機固定装置である。先ず、従来例における下側遊技機固定装置４００は、図１３（Ａ）に示すように、下部島枠５に固定された本体４０１と、該本体４０１に対して前後方向に進退移動可能に取り付けられた出入り調整ボルト４０２と、該出入り調整ボルト４０２の前端に取り付けられた枠受けプレート４０３と、本体４０１の前側に取り付けられてねじ部４０５を有する押しボルト４０４と、を備えている。そして、外枠９を固定する際には、出入り調整ボルト４０２を前後方向に進退移動させることで、枠受けプレート４０３によって外枠９’の下辺部分を後方から支持し、この状態から、押しボルト４０４を下方に捻じ込むことにより、ねじ部４０５の先端で外枠９’の下辺上面を押し込んで固定するようになっている。
【００７１】
ところが、このような構成において、外枠９’の奥行き寸法が極端に短く設定される、あるいは遊技機の傾斜角度の調整として外枠９’を極端に前側に移動させることで、外枠９’の下辺部分の後端面を支持する位置をかなり前方に移動させる必要がある場合、図１３（Ｂ）に示すように、押しボルト４０４のねじ部４０５による外枠９’の固定位置（押し込み位置）が後端になってしまい、外枠９’の固定状態が不安定になる。また、図１３中に示す外枠９’は、木材からなる木材部品９Ａ’とプラスチック等の硬質材料からなる硬質部品９Ｂ’との組み合わせからなり、硬質部品９Ｂ’を各辺の前端及び後端に配置したものを例示している。この場合では、ねじ部４０５の先端が丁度硬質部品９Ｂ’の部分に当ってしまい、外枠９’側から強い押し返しを受けることで、外枠９’の固定状態が極端に不安定になってしまう。
【００７２】
これに対して、下側遊技機固定装置３００では、図１３（Ｃ）に示すように、コイルスプリング３０９の弾性力によって押圧固定部材３０３の支持部３１４ａが前後方向に移動する場合、これに伴って押圧固定部材３０３の押圧爪部３１８も一体的に前後方向に移動するようになっている。このため、下側遊技機固定装置３００は、図１３（Ｄ）に示すように、遊技機の傾斜角度の調整として外枠９’を極端に前側に移動させた遊技機（外枠）を固定する際でも、外枠９’の下辺部分の後端面から所定の前方位置を押圧することになる。その結果、外枠９’の奥行き寸法が極端に短く設定される、あるいは遊技機の傾斜角度の調整として外枠９’を極端に前側に移動させることで、支持部３１４ａの位置をかなり前方に移動させる必要がある場合でも、押圧爪部３１８による外枠９の固定位置が後端になってしまうことを回避することができ、確実に外枠９’を固定することができる。また、下側遊技機固定装置３００は、図１３中に示す木材部品９Ａ’と硬質部品９Ｂ’との組み合わせからなる外枠９’を固定する際も、押圧爪部３１８による外枠９の固定位置が外枠９’の後端上面（硬質部品９Ｂ’の上面）ではなく、木材部品９Ａ’が配置された外枠９’の中央上面を押圧固定することになるので、外枠９’（硬質部品９Ｂ’）側から強い押し返しを受けることなく、外枠９’を確実に固定することができる。
【００７３】
また、上記した押圧固定部材３０３の押圧爪部３１８によって外枠９を上方から押圧して固定する際、押圧固定部材３０３は、押圧爪部３１８を介して外枠９の下辺上面から強い反力を受けることになるが、このような押圧爪部３１８による押圧状態で、押圧固定部材３０３の後壁面３１６の当接部３１６ａは、取付部材３０２の上壁面３１５と当接するようになっている。このため、押圧固定部材３０３の一端部分である押圧爪部３１８にかかる強い反力は、押圧固定部材３０３の他端部分である当接部３１６ａと当接する取付部材３０２の上壁面３１５で受けられるので、押圧固定部材３０３が外枠９からの反力を受けて変形するという事態を抑制することができる。
【００７４】
上述したように押圧固定部材３０３の変形を抑制することができるものの、前述した第一実施形態に係る下側遊技機固定装置２００の場合には、図１０（Ｄ）に示す状態において、過剰に取付ボルト２０５を捻じ込んだ場合には、押圧爪部２１８からの反力によって後面壁２１６の当接部２１６ａが取付部材２０２の上壁面２１５に強く当接し、これによって前端部が自由端となっている取付部材２０２に時計回転方向の曲げモーメントが作用するため、取付部材２０２の前端部分が跳ね上がったように変形するおそれがある。これに対し、第二実施形態に係る下側遊技機固定装置３００の場合には、取付部材３０２に上記の曲げモーメントと同じように、図１２（Ｄ）に示す状態で時計回転方向の曲げモーメントが作用するが、取付部材３０２は、その後端に設けられた固定フランジ部３３３がベース部材３０８の固定穴３３１に固定ボルト３０６で固定されるだけではなく、その前端に設けられた係合突起３１３がベース部材３０８の係止突片３３２に係止されている。このため、取付部材３０２は、取付ベース３０１と一体的に下部島枠５にビス止めされたベース部材３０８に対してその後端部だけではなく前端部も固定された状態となっているため、取付部材３０２に曲げモーメントが作用しても変形しないようになっている。
【００７５】
なお、取付部材３０２の前端部分に設けられた係合突起３１３の上下位置決め係合部３１３ａは、ベース部材３０８の前端部分に設けられた係止突片３３２の上下位置決め係止部３３２ａとの係合によって、取付部材３０２をベース部材３０８に対して上下方向で位置決め固定するようになっている。このため、上記したように取付部材３０２に対して曲げモーメントがかかるような場合でも、取付部材３０２の前端部分をベース部材３０８の前端部分に強固に固定して取付部材３０２が変形しないようにしている。
【００７６】
また、取付部材３０２の係合突起３１３とベース部材３０８の係止突片３３２との係合において、係合突起３１３に設けられた左右位置決め係合部３１３ｂは、係止突片３３２に設けられた左右位置決め係止部３３２ｂとの係合によって、取付部材３０２をベース部材３０８に対して左右方向で位置決め固定するようになっている。このため、ベース部材３０８に対する取付部材３０２の位置決め精度を高めることで、下側遊技機固定装置３００全体としての組み付け精度を高めることができるので、結果として、下側遊技機固定装置３００の組み付け精度の低下に伴って外枠９の固定強度が低下するような不具合を回避することができる。
【００７７】
また、押圧固定部材３０３（押圧爪部３１８）による外枠９の押圧を強めるために、取付ボルト３０５を極端に大きな力で必要以上に強く捻じ込む動作が繰り返し行われた場合、取付部材３０２は、上記した構成により変形しないが、押圧固定部材３０３は、外枠９から受ける多大な反力に耐えかねて変形する虞がある。具体的には、側壁面３１２ａの前端（支持部３１４ａ）を境目として上壁面３１５が「く」の字状に折れ曲がる。
【００７８】
そして、上記したような変形が押圧固定部材３０３に生じることで、当該押圧固定部材３０３を変形していない正規の部材と交換する場合、先ず、取付ボルト３０５と螺合受部材３０４との螺合を解除して、変形した押圧固定部材３０３を取り外す。その後、取付部材３０２をベース部材３０８に取り付けた状態、言い換えれば、取付部材３０２とベース部材３０８との間の空間３２５内に螺合受部材３０４を収納した状態で、変形していない正規の部材（押圧固定部材３０３）の取付穴３１７、コイルスプリング３０７、及び取付部材３０２の挿通穴３１１ａに取付ボルト３０５を挿通し、該取付ボルト３０５（雄ネジ部３２３）の先端部分を、螺合受部材３０４のネジ穴３２２に螺合させることで、正規の部材（押圧固定部材３０３）への取り替えが完了する。
【００７９】
即ち、下側遊技機固定装置３００の構成によれば、変形した押圧固定部材３０３を交換する場合、下側遊技機固定装置３００の構成部材を全て分解する必要はなく、押圧固定部材３０３を取り付ける取付ボルト３０５だけを取り外して、変形した押圧固定部材３０３を正規の部材に取り替えればよいので、交換作業が容易に行える。また、下側遊技機固定装置３００全体を下部島枠５から取り外す必要もないので、部品を交換する毎に下部島枠５側にビス穴の跡（下側遊技機固定装置３００をビス止めするための穴の跡）が残ってしまうような不具合を回避することができる。
【００８０】
ところで、押圧固定部材３０３の上壁面３１５と取付部材３０２の上壁面３１１との間に配置されるコイルスプリング３０７は、押圧固定部材３０３を常時上方に付勢することで、押圧固定部材３０３の押圧爪部３１８が外枠９の下辺上面を下方に押し込んでいない状態でも、押圧爪部３１８が設けられる押圧固定部材３０３の先端側が自重によって下方に落ち込まない、言い換えれば、支承板７との間隔を狭める方向に移動しないようにしている。このため、外枠９を設置空間１０の前方から挿し入れる際に、押圧固定部材３０３を取付部材３０２から遠ざかる方向（上方向）に移動させた状態でも、押圧固定部材３０３の先端側（押圧爪部３１８側）の落ち込みを抑えて、押圧爪部３１８が外枠９の設置空間１０内への挿入を阻害しないようにできる。
【００８１】
また、コイルスプリング３０７は、そのコイル巻回径が下端から上端にかけて徐々に縮径することで、とぐろ状に形成されており、上端部分のコイル巻回径は、取付ボルト３０５の雄ネジ部３２３のネジ径と同一に設定されている。このため、コイルスプリング３０７は、その上端部分が雄ネジ部３２３に係止された状態で押圧固定部材３０３と取付部材３０２との間に配置されることになる。従って、部品交換等で下側遊技機固定装置３００を分解する際に、螺合受部材３０４に対する取付ボルト３０５の捻じ込みを解除して押圧固定部材３０３を取り外すときでも、コイルスプリング３０７が雄ネジ部３２３からはずれて不意に飛び出してしまうことを回避できる。その結果、下側遊技機固定装置３００の分解作業時に、コイルスプリング３０７が遊技島台１内でパチンコ玉の玉流れを阻害する場所に紛れ込んでしまう不具合を回避することができる。
【００８２】
ところで、上記した第二実施形態に係る下側遊技機固定装置３００（第一実施形態に係る下側遊技機固定装置２００及び上側遊技機固定装置１４０についても同様）の構成によれば、前述したスライド調整機構１８０を介して下部島枠５に取り付けた場合でも、アウト玉箱１２の固定位置あるいは大きさによって下側遊技機固定装置３００のスライド移動が規制されてしまうことがあり、このようなときには、隅角部分に補強金具を備えたタイプの外枠９に対応した遊技機を固定できなくなってしまう。また、下辺部分にスピーカを一体的に取り付けた外枠９に対しては、外枠９の下辺上面とスピーカ９ｂとの間のスペースが狭まってスピーカと干渉してしまうことで、スピーカを備えたタイプの外枠９に対応した遊技機を固定できなくなってしまう。
【００８３】
そこで、このような場合には、下側遊技機固定装置３００の押圧固定部材３０３を、図１４に示す補強金具対応用の押圧固定部材３４０あるいは図１５に示すスピーカ対応用の押圧固定部材３５０に取り替えることで、補強金具又はスピーカとの干渉を回避して、遊技機を固定するようにしてもよい。以下、補強金具対応用の押圧固定部材３４０及びスピーカ対応用の押圧固定部材３５０について、図１４乃至図１６を参照して説明する。図１４は、補強金具対応用の押圧固定部材３４０が取り付けられた下側遊技機固定装置３００’を示す斜視図である。図１５は、スピーカ対応用の押圧固定部材３５０が取り付けられた下側遊技機固定装置３００’’を示す斜視図である。図１６は、補強金具対応用の押圧固定部材３４０が取り付けられた下側遊技機固定装置３００’及びスピーカ対応用の押圧固定部材３５０が取り付けられた下側遊技機固定装置３００’’によって外枠を固定した状態を示す斜視図である。なお、以下の説明では、各押圧固定部材３４０，３５０の構成部において、押圧固定部材３０３と同様の構成部については便宜的に同一の符号を付すと共にその詳細な説明を省略する。
【００８４】
補強金具対応用の押圧固定部材３４０は、図１４に示すように、その上壁面３１５の前端側が、押圧固定部材３０３と同様に、前方に延設されるが、その延設形状（以下、これを延設部３４１という）が押圧固定部材３０３と異なっている。具体的に、押圧固定部材３４０の延設部３４１は、上壁面３１５から前方に向けて延設された後、その延設部分の一側端（外枠９の中央側となる側端）から側方に向けて延設されることで、ほぼＬ字状の形状に形成されている。そして、延設部３４１において側方に向けて延設された部分の前端には、下方にほぼ直角に折曲された複数の押圧爪部３４２が形成されている。
【００８５】
しかして、押圧固定部材３４０を備えた下側遊技機固定装置３００’は、図１６に示すように、押圧固定部材３４０が外枠９の横幅方向において補強金具９ａと重なり合う位置となってしまう場合でも、延設部３４１が外枠９の中央側に向けて折曲されたＬ字状に形成されることで、該延設部３４１の前端の押圧爪部３４２が補強金具９ａとの干渉を避けた位置で外枠９の押し込みを強固に行うようになっている。
【００８６】
なお、図１６中には、外枠９の下辺部分を固定する左右一対の下側遊技機固定装置３００’のうち、外枠９の裏面側から見た右側の押圧固定部材３４０を図示しており、これに伴って同図中には、延設部３４１が前方に向かうにつれて左方向に折曲されたものを図示しているが、外枠９の裏面側から見た左側の押圧固定部材３４０においては、延設部３４１が前方に向かうにつれて右方向に折曲されたものとなる。また、以上説明した補強金具９ａを備えた外枠９に対応する構成は、下側遊技機固定装置３００に限定するものではなく、前述した下側遊技機固定装置２００及び上側遊技機固定装置１４０についても適応が可能である。
【００８７】
また、スピーカ対応用の押圧固定部材３５０は、図１５に示すように、その上壁面３１５の前端側が、押圧固定部材３０３とは違い前方に延設されることなく、一旦、下り段差状に折曲され、一段下がった位置から前方に延設された形状（以下、これを下段延設部３５１という）となっている。そして、下段延設部３５１は、前方に向けて延設された後、その延設部分の一側端（外枠９の中央側となる側端）から側方に向けて延設されることで、ほぼＬ字状の形状に形成され、そのＬ字状の端部で上がり段差状に折曲され、一段上がった位置から前方に延設された形状（以下、これを上段延設部３５２という）となっている。また、上段延設部３５２の前端には、下方にほぼ直角に折曲された複数の押圧爪部３５３が形成されている。
【００８８】
しかして、押圧固定部材３５０を備えた下側遊技機固定装置３００’’は、図１６に示すように、外枠９の下辺部分にスピーカ９ｂが設けられることで外枠９の下辺上面とスピーカ９ｂとの間のスペースが狭まってしまうような場合でも、下段延設部３５１が外枠９の下辺上面とスピーカ９ｂとの間の狭いスペース内に入り込むと共に、そのＬ字状部分が外枠９の中央側に向けて延び、スピーカ９ｂとの干渉を避けた位置で上段延設部３５２下端の押圧爪部３５３が外枠９の押し込みを強固に行うようになっている。
【００８９】
なお、図１６中には、外枠９の下辺部分を固定する左右一対の下側遊技機固定装置３００’’のうち、外枠９の裏面側から見た左側の押圧固定部材３５０を図示しており、これに伴って同図中には、下段延設部３５１が前方に向かうにつれて左方向に折曲されたものを図示しているが、外枠９の裏面側から見た右側の押圧固定部材３５０（下辺右側でスピーカが突出して取り付けられた外枠９と対応する下側遊技機固定装置３００’’
の押圧固定部材３５０）においては、下段延設部３５１が前方に向かうにつれて左方向に折曲されたものとなる。また、以上説明したスピーカ９ｂを備えた外枠９に対応する構成は、下側遊技機固定装置３００に限定するものではなく、前述した下側遊技機固定装置２００についても適応が可能である。
【００９０】
以上のように、本実施形態の構成によれば、遊技機（外枠９）を設置空間１０内に設置する場合、先ず、取付ボルト１４５（２０５、３０５）を螺合受部材１４４（２０４、３０４）に対して緩めることによって押圧固定部材１４３（２０３、３０３）を取付部材１４２（２０２、３０２）の挿通穴１６０（２１１ａ、３１１ａ）に沿ってスライド移動できるようにし、また、押圧爪部１６８（２１８、３１８）による外枠９の押圧を解除し、この状態で、外枠９を設置空間１０に対して前方から挿入して、外枠９の上辺部分又は下辺部分の後端面を押圧固定部材１４３（２０３、３０３）の支持部１６４ａ（２１４ａ、３１４ａ）と当接させる。そして、この状態から、取付ボルト１４５（２０５、３０５）を螺合受部材１４４（２０４、３０４）に対して捻じ込むことによって押圧固定部材１４３（２０３、３０３）を取付部材１４２（２０２、３０２）の挿通穴１６０（２１１ａ、３１１ａ）に沿ってスライド移動できないようにし、また、押圧爪部１６８（２１８、３１８）によって外枠９を押圧して、外枠９を設置空間１０に固定する。なお、このとき、遊技機の傾斜角度は、外枠９の上辺部分又は下辺部分の後端面を支持する押圧固定部材１４３（２０３、３０３）の支持部１６４ａ（２１４ａ、３１４ａ）の位置、言い換えれば、取付部材１４２（２０２、３０２）に対する押圧固定部材１４３（２０３、３０３）のスライド移動位置によって調整される。
【００９１】
また、このような構成において、押圧固定部材１４３（２０３、３０３）は、コイルスプリング１４６（２０９、３０９）により前方にスライド移動する方向に付勢されている。このため、外枠９を設置空間１０に対して前方から挿入する際、押圧固定部材１４３（２０３、３０３）の支持部１６４ａ（２１４ａ、３１４ａ）は、外枠９の後端面との隙間をなくす方向に自動的に移動するようになっており、遊技機の設置作業としては、コイルスプリング１４６（２０９、３０９）によって付勢された押圧固定部材１４３（２０３、３０３）（支持部１６４ａ（２１４ａ、３１４ａ））の前方移動に抗して外枠９を後方に押し入れることになる。従って、入れ替えて設置する遊技機（外枠９）の奥行き寸法が入れ替え前のものと異なるような場合でも、外枠９の奥行き寸法に応じて押圧固定部材１４３（２０３、３０３）を前後方向に移動調整する必要がなく、設置空間１０に対する外枠９の挿入度合を調整するだけでよいので、外枠９の固定作業を容易にできる。
【００９２】
さらには、設置空間１０に対する外枠９の挿入度合を調整する際に、押圧固定部材１４３（２０３、３０３）の支持部１６４ａ（２１４ａ、３１４ａ）が前後方向に移動する場合、これに伴って押圧固定部材１４３（２０３、３０３）の押圧爪部１６８（２１８、３１８）も一体的に前後方向に移動する。このため、上側遊技機固定装置１４０（下側遊技機固定装置２００，３００）は、奥行き寸法が異なった遊技機（外枠９）を固定する際でも、外枠９の後端面から所定の前方位置を押圧することになる。その結果、外枠９の奥行き寸法が極端に短く設定される、あるいは傾斜角度の調整として外枠９を極端に前側に移動させることで、支持部１６４ａ（２１４ａ、３１４ａ）の位置をかなり前方に移動させる必要がある場合でも、押圧爪部１６８（２１８、３１８）による外枠９の固定位置が後端（例えば、木材とプラスチック等の硬質材料との組み合わせからなる外枠９において硬質材料が配置された後端部分）になってしまうことを回避することができ、確実に外枠９を固定することができる。
【００９３】
また、取付ボルト１４５（２０５、３０５）を螺合受部材１４４（２０４、３０４）に対して捻じ込むことによって、押圧固定部材１４３（２０３、３０３）を挿通穴１６０（２１１ａ、３１１ａ）に沿ってスライド移動できないようにすると共に、押圧爪部１６８（２１８、３１８）が外枠９を押圧する方向に押圧固定部材１４３（２０３、３０３）を移動させる。一方、取付ボルト１４５（２０５、３０５）を螺合受部材１４４（２０４、３０４）に対して緩めることによって、押圧固定部材１４３（２０３、３０３）を挿通穴１６０（２１１ａ、３１１ａ）に沿ってスライド移動できるようにすると共に、押圧爪部１６８（２１８、３１８）が外枠９の押圧を解除する方向に押圧固定部材１４３（２０３、３０３）を移動させる。このため、遊技場側では、取付ボルト１４５（２０５、３０５）の捻じ込み操作によって押圧爪部１６８（２１８、３１８）が外枠９を押圧する方向に押圧固定部材１４３（２０３、３０３）を移動させる際、即ち、取付ボルト１４５（２０５、３０５）を螺合受部材１４４（２０４、３０４）に対して緩めた状態から取付ボルト１４５（２０５、３０５）を捻じ込む際、当該取付ボルト１４５（２０５、３０５）を取付部材１４２（２０２、３０２）の挿通穴１６０（２１１ａ、３１１ａ）に沿って移動させることで、押圧固定部材１４３（２０３、３０３）をスライド移動させて支持部１６４ａ（２１４ａ、３１４ａ）の位置調整を行うことができる。従って、遊技機の傾斜角度を調整する作業としては、外枠９を設置空間１０に固定するために取付ボルト１４５（２０５、３０５）を捻じ込み操作する際、押圧固定部材１４３（２０３、３０３）をスライド移動させて支持部１６４ａ（２１４ａ、３１４ａ）の位置を調整するだけでよいので、遊技機の傾斜角度を容易に調整することができる。
【００９４】
これに対して、遊技場に侵入して不正に遊技機の傾斜角度を変えるような場合には、取付部材１４２（２０２、３０２）に対する押圧固定部材１４３（２０３、３０３）のスライド移動位置を変更するために、取付ボルト１４５（２０５、３０５）を螺合受部材２０４（３０４）に対して緩める必要がある。しかしながら、取付ボルト１４５（２０５、３０５）を一旦緩めてしまうと、これに伴って、押圧爪部１６８（２１８、３１８）が外枠９の押圧を解除する方向に押圧固定部材１４３（２０３、３０３）を移動させることになり、結果として、上側遊技機固定装置１４０（下側遊技機固定装置２００，３００）による遊技機（外枠９）の固定状態を解除することになってしまう。このため、遊技機を固定した状態のまま遊技機の傾斜角度だけを変えるような簡単な作業とは違い、遊技機を固定する作業も行う必要があり大掛かりな作業が強いられることになる。従って、不正に遊技機の傾斜角度を変える作業を困難なものとすることができ、ひいては、遊技機の傾斜角度を不正に変える行為を防止することができる。
【００９５】
また、外枠９の下辺部分を固定する下側遊技機固定装置２００（３００）において、押圧固定部材２０３（３０３）と取付部材２０２（３０２）との間に弾性力付与部材を配置して、該弾性力付与部材の弾性力によって押圧固定部材２０３（３０３）が上方に移動する、言い換えれば、取付部材２０２（３０２）から遠ざかるようにする。これにより、螺合受部材２０４（３０４）に対する取付ボルト２０５（３０５）の捻じ込みを弱めた状態でも、押圧固定部材２０３（３０３）の押圧爪部２１８（３１８）が自重によって下方に落ち込むことを回避できる。従って、外枠９を設置空間１０に対して前方から挿入する際でも、外枠９の設置空間１０内への挿入を阻害しない位置に押圧爪部２１８（３１８）を移動させておくことができ、外枠９の固定作業を容易にできる。
【００９６】
また、コイル巻回径が下端から上端にかけて徐々に縮径したとぐろ状のコイルスプリング２０７（３０７）によって弾性力付与部材を構成する。そして、該コイルスプリング２０７（３０７）の上端部分のコイル巻回径を取付ボルト２０５（３０５）の軸径と同一にして取付ボルト２０５（３０５）を巻回するように配置する。このため、コイルスプリング２０７（３０７）は、その上端部分が取付ボルト２０５（３０５）に係止された状態で押圧固定部材２０３（３０３）と取付部材２０２（３０２）との間に配置さることになる。従って、部品交換等で下側遊技機固定装置２００（３００）を分解する際に、螺合受部材２０４（３０４）に対して取付ボルト２０５（３０５）を緩めて押圧固定部材２０３（３０３）を取り外すときでも、コイルスプリング２０７（３０７）が不意に飛び出してしまうことを回避できる。その結果、下側遊技機固定装置２００（３００）の分解作業時に、コイルスプリング２０７（３０７）が遊技島台１内に紛れ込んでしまい、遊技島台１を構成する各種装置が正常に機能しなくなる（例えば、コイルスプリングがパチンコ玉の玉流れを阻害する等）不具合を回避することができる。
【００９７】
なお、以上説明した実施形態中の構成によれば、螺軸部材の螺合受部材に対する捻じ込みによって押圧部が外枠を押圧する方向に押圧固定部材を移動させる一方、螺軸部材を螺合受部材に対して緩めることによって押圧部が外枠の押圧を解除する方向に押圧固定部材を移動させる遊技機固定装置を例示しているが、この構成に限定するものではない。例えば、押圧固定部材に取り付けられる押圧ボルト（具体的には、上側遊技機固定装置１４０の押圧ボルト１４８）を本発明に係る押圧部とすることで、押圧固定部材の移動、言い換えれば、螺軸部材の螺合受部材に対する捻じ込み及び緩めに関わらずに、押圧部によって外枠の押圧及びその解除を行う構成としてもよい。
【００９８】
また、本実施形態では、下部島枠５に下側遊技機固定装置２００，３００を固定するものを例示しているが、この構成に限定するものではなく、下部島枠５の上面に固定された支承板７等の上面に下側遊技機固定装置２００，３００を固定するようにしてもよい。また、本発明に係る取付部材は、上部島枠又は下部島枠に直接取り付けられるものであってもよいし、間接的に取り付けられるものであってもよい。また、本発明に係る螺軸部材は、実施形態中に記載するボルトに限定せず、ビス等の部材であってもよい。
【符号の説明】
【００９９】
１  遊技島台
２  玉貸機
４  上部島枠
５  下部島枠
７  支承板
８  間仕切り
９  外枠
１０  設置空間
１１  装飾カバー体
１４０  上側遊技機固定装置（遊技機固定装置）
１４１  取付ベース
１４２  取付部材
１４３  押圧固定部材
１４４  螺合受部材
１４５  取付ボルト（螺軸部材）
１４６  コイルスプリング（弾性部材）
１４７  固定ボルト
１４８  押圧ボルト
１５７  上壁面
１６０  挿通穴
１６４  側壁面
１６４ａ  支持部
１６６  後壁面
１６６ａ  当接部
１６８  押圧爪部（押圧部）
２００  下側遊技機固定装置（遊技機固定装置）
２０１  取付ベース
２０２  取付部材
２０３  押圧固定部材
２０４  螺合受部材
２０５  取付ボルト（螺軸部材）
２０７  コイルスプリング（弾性力付与部材）
２０９  コイルスプリング（弾性部材）
２１１  上壁面
２１１ａ  挿通穴
２１４  側壁面
２１４ａ  支持部
２１６  後壁面
２１６ａ  当接部
２１８  押圧爪部（押圧部）
３００  下側遊技機固定装置（遊技機固定装置）
３０１  取付ベース
３０２  取付部材
３０３  押圧固定部材
３０４  螺合受部材
３０５  取付ボルト（螺軸部材）
３０７  コイルスプリング（弾性力付与部材）
３０８  ベース部材
３０９  コイルスプリング（弾性部材）
３１１  上壁面
３１１ａ  挿通穴
３１３  係合突起
３１３ａ  上下位置決め係合部
３１３ｂ  左右位置決め係合部
３１４  側壁面
３１４ａ  支持部
３１６  後壁面
３１６ａ  当接部
３１８  押圧爪部（押圧部）
３２５  空間
３３２  係止突片
３３２ａ  上下位置決め係止部
３３２ｂ  左右位置決め係止部
【図１】
0005716424.tif 000002
【図２】
0005716424.tif 000003
【図３】
0005716424.tif 000004
【図４】
0005716424.tif 000005
【図５】
0005716424.tif 000006
【図６】
0005716424.tif 000007
【図７】
0005716424.tif 000008
【図８】
0005716424.tif 000009
【図９】
0005716424.tif 000010
【図１０】
0005716424.tif 000011
【図１１】
0005716424.tif 000012
【図１２】
0005716424.tif 000013
【図１３】
0005716424.tif 000014
【図１４】
0005716424.tif 000015
【図１５】
0005716424.tif 000016
【図１６】
0005716424.tif 000017